(57)【特許請求の範囲】
【請求項１】
建物の天井面に固設されてワイヤー１１０を用いて昇降体１２０を上昇または下降させる昇降装置１００；及び前記昇降体１２０の下端に連結されて昇降体１２０とともに地上に下降または天井面へと上昇するＬＥＤ照明灯２００を含むＬＥＤ照明灯昇降システムの冷却装置において、
前記冷却装置３００は、前記昇降体１２０と前記ＬＥＤ照明灯２００との間に設けられ、
前記冷却装置３００は、
四角ボックス状であって下端にＬＥＤ照明灯２００が取り付けられ、昇降装置１００と一体的に連設される冷却ボックス３２０；
前記冷却ボックス３２０の一面に設けられて外部の涼しい空気を内部に取り込む取込冷却ファン３１０；
前記取込冷却ファン３１０の反対側に位置し、冷却ボックス３２０の他面に設けられてＬＥＤ照明灯２００から発生する高温の熱を外部に強制放出させる排出冷却ファン３１０ａ；
前記冷却ボックス３２０の内部に一定間隔を置いて垂直方向に多数配設され、ＬＥＤ照明灯２００から発生する高温の熱を吸収冷却させる冷却柱３３０；
前記冷却ボックス３２０の上端に取り付けられて冷却ボックス３２０を完全な四角ボックス状にし、上面に昇降体１２０が連結固定される冷却蓋３４０；及び
前記冷却ボックス３２０の内部に配設された冷却柱３３０と対応する位置に形成され、冷却蓋３４０の上面から外部に突出して冷却柱３３０で吸収した高温の熱を外部に完全放出させる放出柱３５０を含み、
前記昇降装置に上昇信号が入力されれば、ワイヤーによって前記昇降体１２０、前記ＬＥＤ照明灯２００、及び前記冷却ボックス３２０が同時に上昇し、上昇が完了すれば、前記昇降装置１００に電源が印加されて前記ＬＥＤ照明灯が点灯され、
前記ＬＥＤ照明灯に定格電流より多くの電流が流れるとき発生する高温によってＬＥＤ照明灯が破損されることを防止することを特徴とするＬＥＤ照明灯昇降システムの冷却装置。
【請求項２】
建物の天井面に固設されてワイヤー１１０を用いて昇降体１２０を上昇または下降させる昇降装置１００；及び前記昇降体１２０の下端に連結されて昇降体１２０とともに地上に下降または天井面へと上昇するＬＥＤ照明灯２００を含むＬＥＤ照明灯昇降システムにおいて、
前記昇降体１２０と前記ＬＥＤ照明灯２００との間に冷却装置３００が設けられ、
前記冷却装置３００は、
四角ボックス状であって下端にＬＥＤ照明灯２００が取り付けられ、昇降装置１００と一体的に連設される冷却ボックス３２０；
前記冷却ボックス３２０の一面に設けられて外部の涼しい空気を内部に取り込む取込冷却ファン３１０；
前記取込冷却ファン３１０の反対側に位置し、冷却ボックス３２０の他面に設けられてＬＥＤ照明灯２００から発生する高温の熱を外部に強制放出させる排出冷却ファン３１０ａ；
前記冷却ボックス３２０の内部に一定間隔を置いて垂直方向に多数配設され、ＬＥＤ照明灯２００から発生する高温の熱を吸収冷却させる冷却柱３３０；
前記冷却ボックス３２０の上端に取り付けられて冷却ボックス３２０を完全な四角ボックス状にし、上面に昇降体１２０が連結固定される冷却蓋３４０；及び
前記冷却ボックス３２０の内部に配設された冷却柱３３０と対応する位置に形成され、冷却蓋３４０の上面から外部に突出して冷却柱３３０で吸収した高温の熱を外部に完全放出させる放出柱３５０を含み、
前記昇降装置に上昇信号が入力されれば、ワイヤーによって前記昇降体１２０、前記ＬＥＤ照明灯２００、及び前記冷却ボックス３２０が同時に上昇し、上昇が完了すれば、前記昇降装置１００に電源が印加されて前記ＬＥＤ照明灯が点灯され、
前記ＬＥＤ照明灯に定格電流より多くの電流が流れるとき発生する高温によってＬＥＤ照明灯が破損されることを防止することを特徴とするＬＥＤ照明灯昇降システム。
【発明の詳細な説明】
【技術分野】
【０００１】
本発明は、ＬＥＤ照明灯昇降システムの冷却装置に関し、より詳しくは、建物の天井面に設けられて昇降装置によって上昇または下降するＬＥＤ照明灯に冷却装置を設け、前記冷却装置を通じてＬＥＤ照明灯から発生する高温の熱を冷却させることで、ＬＥＤ照明灯を効率的に使用し、周辺機器の耐久性を向上させたＬＥＤ照明灯昇降システムの冷却装置に関する。
【０００２】
本出願は、２０１１年１月２１日出願の韓国特許出願第１０−２０１１−０００６１７８号に基づく優先権を主張し、該当出願の明細書及び図面に開示された内容は、すべて本出願に援用される。
【背景技術】
【０００３】
一般に、ホテルロビー、体育館、工場、教会、公演場、結婚式場、宴会場、ガソリンスタンド、レストラン、コーヒーショップ、デパートなどのように天井面の高い所には、高所照明灯が使用されている。このような高所照明灯は、使用初期には別に問題がないが、長期間に亘って使用することになれば、照明灯の限られた寿命による周期的な交換、照明灯の故障による製品交換、または周期的な掃除作業を行わなければならない。
【０００４】
高い天井面に設置される高所照明灯を交換及び掃除するためには、その設置特性上、別途の高所作業装備、すなわち、高所作業台、高所作業用クレーンや梯子車が必要となる。
【０００５】
このような高所作業は、地上での作業よりかなり不便であるだけでなく、熟練度が求められ、特に、高所作業途中に起り得る作業者の感電、墜落などの安全事故の危険に常に晒されていた。また、高所作業装備の使用による費用が増加し、経済的な負担となるという短所がある。
【０００６】
したがって、近来、上記のような短所に鑑みて地上で安全且つ簡便に高所照明灯の交換または掃除を行えるようにした照明灯昇降装置が創案された。
【０００７】
その構成を簡単に見れば、建物の天井面に固設され、ワイヤーを用いて昇降体を上昇または下降させる昇降装置と、前記昇降体の下端に連結されて昇降体とともに地上に下降または天井面へと上昇する照明灯と、前記昇降装置と双方向無線通信しながら地上から昇降装置に上昇信号または下降信号などを入力するリモコンと、で構成されている。
【０００８】
このように構成された従来の照明灯昇降装置を用いれば、照明灯を安全に地上に下降させて照明灯の交換または掃除を行えるという利点はある。
【０００９】
なお、一般照明灯はエネルギー効率が低い一方、発光ダイオード（ＬＥＤ）を使用した照明器具は、他の発光体照明器具（蛍光灯、水銀灯、白熱灯）に比べてエネルギー効率が高いだけでなく、寿命が長く汚染物質も放出しないなどの特性を有するため、一般照明灯からＬＥＤ照明灯への入替えが行われている。
【００１０】
しかし、ＬＥＤ照明灯を使用する照明器具において、ＬＥＤ照明灯に通常の定格電流が流れるときは普通６０℃程度を維持するが、定格電流より多くの電流が流れれば、高温に発熱してＬＥＤ照明灯が破損することが多い。ＬＥＤ照明灯に電流が流れるとき、前記ＬＥＤ照明灯の両端は基本的に定電圧の特性を有するが、電流が増加するとともに極めて微細に電圧も増加するようになる。また、電流がある限度以上に増加する場合、発熱量が急増し、過熱によって前記ＬＥＤ照明灯が破損されるなどの短所があり、点灯時に発生する高温による周辺機器の耐久性が大幅に低下するなどの問題点もある。
【発明の概要】
【発明が解決しようとする課題】
【００１１】
本発明は、上記問題点に鑑みてなされたものであり、建物の天井面に設けられて昇降装置によって上昇または下降するＬＥＤ照明灯に冷却装置を設け、前記冷却装置を通じてＬＥＤ照明灯から発生する高温の熱を冷却させることで、ＬＥＤ照明灯を効率的に使用し、周辺機器の耐久性を向上させたＬＥＤ照明灯昇降システムの冷却装置を提供することを目的とする。
【課題を解決するための手段】
【００１２】
上記の課題を達成するため、本発明は、建物の天井面に固設されてワイヤーを用いて昇降体を上昇または下降させる昇降装置；及び前記昇降体の下端に連結されて昇降体とともに地上に下降または天井面へと上昇するＬＥＤ照明灯を含むＬＥＤ照明灯昇降システムの冷却装置を提供し、前記冷却装置は、前記昇降体と前記ＬＥＤ照明灯との間に設けられ、前記ＬＥＤ照明灯に定格電流より多くの電流が流れるとき発生する高温によってＬＥＤ照明灯が破損されることを防止する。
【００１３】
望ましくは、前記冷却装置は、四角ボックス状であって下端にＬＥＤ照明灯が取り付けられ、昇降装置と一体的に連設される冷却ボックス；前記冷却ボックスの一面に設けられて外部の涼しい空気を内部に取り込む取込冷却ファン；前記取込冷却ファンの反対側に位置し、冷却ボックスの他面に設けられてＬＥＤ照明灯から発生する高温の熱を外部に強制放出させる排出冷却ファン；前記冷却ボックスの内部に一定間隔を置いて垂直方向に多数配設され、ＬＥＤ照明灯から発生する高温の熱を吸収冷却させる冷却柱；前記冷却ボックスの上端に取り付けられて冷却ボックスを完全な四角ボックス状にし、上面に昇降体が連結固定される冷却蓋；及び前記冷却ボックスの内部に配設された冷却柱と対応する位置に形成され、冷却蓋の上面から外部に突出して冷却柱で吸収した高温の熱を外部に完全放出させる放出柱を含み、前記昇降装置に上昇信号が入力されれば、ワイヤーによって前記昇降体、前記ＬＥＤ照明灯、及び前記冷却ボックスが同時に上昇し、上昇が完了すれば、前記昇降装置に電源が印加されて前記ＬＥＤ照明灯が点灯される。
【００１４】
また、上記の課題を達成するため、本発明は上述した冷却装置を備えるＬＥＤ照明灯昇降システムを提供する。
【発明の効果】
【００１５】
本発明によれば、昇降装置を通じて地上に下降または昇降するＬＥＤ照明灯に冷却装置が一体的に設けられている。
【００１６】
したがって、冷却装置を通じてＬＥＤ照明灯から発生する高温の熱を冷却するため、従来のようにＬＥＤ照明灯が過熱によって破損されることが防止できることはもちろん、それによって周辺機器の耐久性が向上するなどの効果がある。
【００１７】
特に、本発明によるＬＥＤ照明灯昇降システムは、熱を吸収する冷却柱を冷却ボックス内に設け、前記冷却柱に吸収された熱をファンを用いた強制対流によって外部に放出することで、ＬＥＤ照明灯から発生する高温の熱を効率的に冷却させることができる。
【図面の簡単な説明】
【００１８】
【図１】本発明による冷却装置が昇降装置とＬＥＤ照明灯との間に設けられた状態を示した斜視図である。
【図２】本発明による冷却装置を示した分解斜視図である。
【発明を実施するための形態】
【００１９】
以下、本発明の望ましい実施例を図面を参照して詳しく説明する。
【００２０】
本発明による冷却装置の説明に先立って周辺機器を説明すれば、本発明によるＬＥＤ照明灯昇降システムは、建物の天井面に固設され、ワイヤー１１０を用いて昇降体１２０を上昇または下降させる昇降装置１００と、前記昇降体１２０の下端に連結されて昇降体１２０とともに地上に下降または天井面へと上昇するＬＥＤ照明灯２００を含む。前記昇降装置１００は、リモコン（図示せず）と双方向無線通信する。地上からリモコンを通じて昇降装置１００に上昇信号または下降信号が入力されれば、リモコンの上昇信号または下降信号によって昇降体１２０とＬＥＤ照明灯２００が地上に下降または天井面へと上昇 するように駆動される。このような昇降装置の全般的な技術内容は従来と同様である。
【００２１】
まず、昇降装置１００によってワイヤー１１０が巻き取られるかまたは巻き出されながら昇降体１２０、ＬＥＤ照明灯２００を上昇または下降させ、このような昇降装置１００はリモコンと双方向無線通信しながら上昇または下降が制御される。このような構成は既に周知されているため、詳細な説明は省略する。
【００２２】
本発明によるＬＥＤ照明灯昇降システムは、ＬＥＤ照明灯２００から発生する高温の熱を効果的に冷却させるため、図１及び図２に示されたように、昇降体１２０とＬＥＤ照明灯２００との間に冷却装置３００を設け、該冷却装置３００を通じてＬＥＤ照明灯２００で発生した高温の熱を冷却させる基本的な構成を有する。
【００２３】
前記冷却装置３００は、四角ボックス状であって、下端にＬＥＤ照明灯２００が取り付けられる冷却ボックス３２０と、前記冷却ボックス３２０の一面に設けられて外部の涼しい空気を内部に取り込む取込冷却ファン３１０と、前記取込冷却ファン３１０の反対側に位置し、冷却ボックス３２０の他面に設けられてＬＥＤ照明灯２００から発生する高温の熱を外部に強制放出させる排出冷却ファン３１０ａと、前記冷却ボックス３２０の内部に一定間隔を置いて垂直方向に多数配設され、ＬＥＤ照明灯２００から発生する高温の熱を吸収冷却させる冷却柱３３０と、前記冷却ボックス３２０の上端に取り付けられて冷却ボックス３２０を完全な四角ボックス状にし、上面に昇降体１２０が連結固定される冷却蓋３４０と、前記冷却ボックス３２０の内部に配設された冷却柱３３０と対応する位置に形成され、冷却蓋３４０の上面から外部に突出して冷却柱３３０で吸収した高温の熱を外部に完全放出させる放出柱３５０と、で構成される。
【００２４】
前記取込冷却ファン３１０と排出冷却ファン３１０ａを冷却ボックス３２０に設けるとき、外部の空気が内部に取り込まれ、内部の空気が外部へと排出できるように取込冷却ファン３１０と排出冷却ファン３１０ａを冷却ボックス３２０の両側面にそれぞれ設けることが望ましい。例えば、取込冷却ファン３１０を前面に設ければ、排出冷却ファン３１０ａは内部の空気が外部へと強制排出できるように冷却ボックス３２０の裏面に設けることが望ましい。
【００２５】
特に、本発明の冷却装置３００はＬＥＤ照明灯２００を冷却させるために使用されるため、前記冷却装置３００は必ず外部と密閉された空間を有するボックス状であることが望ましい。この場合、冷却ボックス３２０と冷却蓋３４０との結合によって１つの冷却装置３００が形成され、ＬＥＤ照明灯２００から発生した高温の熱が冷却装置３００の内部で集熱され、集熱された高温の熱は取込冷却ファン３１０と排出冷却ファン３１０ａによって強制循環される。このような強制循環過程により、冷却柱３３０及び放出柱３５０を通じてＬＥＤ照明灯２００から発生した高温の熱が一層効果的に冷却する。換言すれば、ＬＥＤ照明灯２００から発生する高温の熱は自然対流よりは強制対流によって外部に放出される。
【００２６】
このように構成した本発明を使用するためには、前面と裏面に取込冷却ファン３１０と排出冷却ファン３１０ａがそれぞれ設けられ、内部には多数の冷却柱３３０が垂直に配設された冷却ボックス３２０と、上面に多数の放出柱３５０が形成された冷却蓋３４０をそれぞれ用意した後、前記冷却蓋３４０は昇降体１２０と連結し、冷却ボックス３２０にはＬＥＤ照明灯２００を取り付ける。すると、ボックス状の冷却装置３００は昇降装置１００と一体的に連結される。
【００２７】
前記昇降装置１００にリモコンを用いて上昇信号を入力すれば、ワイヤー１１０によって前記昇降装置１００の昇降体１２０、ＬＥＤ照明灯２００、冷却ボックス３２０が同時に上昇し、上昇が完了すれば昇降装置１００に電源が印加されながらＬＥＤ照明灯２００が点灯される。
【００２８】
このような状態でＬＥＤ照明灯２００を長期間使用すれば、ＬＥＤ照明灯２００が過熱して高温の熱が発生する。このとき、冷却柱３３０を通じて高温の熱が吸収されると同時に、吸収された高温の熱は冷却柱３３０を経て放出柱３５０を通じて外部に放出される。
【００２９】
また、冷却ボックス３２０の一面に設けられた取込冷却ファン３１０は、外部の冷たい空気を内部に取り込んで冷却ボックス３２０内部の全体温度を低下させる。内部の高温の熱と混合した空気は排出冷却ファン３１０ａを通じて外部に放出される。このような外部空気の取込過程と内部の高温空気の放出過程とが継続して繰り返されるため、ＬＥＤ照明灯２００から発生した高温の熱を容易に冷却させることができる。
【符号の説明】
【００３０】
１００    昇降装置
１１０    ワイヤー
１２０    昇降体
２００    ＬＥＤ照明灯
３００    冷却装置
３１０    取込冷却ファン
３１０ａ  排出冷却ファン
３２０    冷却ボックス
３３０    冷却柱
３４０    冷却蓋
３５０    放出柱
【図１】
0005650335.tif 000002
【図２】
0005650335.tif 000003